(57)【特許請求の範囲】
【請求項１】
音色データ毎かつオーディオ楽曲データ毎に当該音色データを特定する音色指定情報と当該オーディオ楽曲データに関する楽曲情報とを関連付けて記述した関連付け情報を蓄積する楽曲・音色関連付けサーバと、この楽曲・音色関連付けサーバに通信可能に接続される電子音楽装置とから成る楽曲対応音色情報提供システムであって、該電子音楽装置は、
楽音信号の生成に用いられる複数の音色データを記憶した音色記憶手段と、
オーディオ楽曲データを再生する楽曲再生手段と、
楽曲再生手段により再生されるオーディオ楽曲データを収録した楽曲データ集から当該オーディオ楽曲データに関する楽曲情報を取得する楽曲情報取得手段と、
楽曲情報取得手段により取得された楽曲情報に基づき探索された関連付け情報に含まれる音色指定情報を楽曲・音色関連付けサーバから取得する音色取得手段と、
音色記憶手段に記憶された複数の音色データから、音色取得手段により取得された音色指定情報に基づく音色データを選択して楽音信号生成手段にロードする音色選択手段と
を具備することを特徴とする楽曲対応音色情報提供システム。
【請求項２】
前記関連付け情報には、更に音色データの編集内容を表わす音色編集情報を関連付けて記述したものが含まれ、
前記電子音楽装置は、さらに、前記楽曲情報取得手段により取得された楽曲情報に基づき探索された関連付け情報に含まれる音色編集情報を楽曲・音色関連付けサーバから取得する編集情報取得手段を具備する
ことを特徴とする請求項１に記載の楽曲対応音色情報提供システム。
【請求項３】
音色データ毎かつオーディオ楽曲データ毎に当該音色データを特定する音色指定情報と当該オーディオ楽曲データに関する楽曲情報とを関連付けて記述した対応付け情報を蓄積する楽曲・音色関連付けサーバと、この楽曲・音色関連付けサーバに通信可能に接続される電子音楽装置とから成る楽曲対応音色情報提供システムであって、該電子音楽装置は、
楽音信号の生成に用いられる複数の音色データを記憶した音色記憶手段と、
複数のオーディオ楽曲データが収録された楽曲データ集を記憶した楽曲データ集記憶手段と、
上記楽曲データ集に収録されたオーディオ楽曲データを再生する楽曲再生手段と、
上記楽曲データ集から、楽曲再生手段により再生されるオーディオ楽曲データに関する楽曲情報を取得する楽曲情報取得手段と、
楽音信号の生成のために、音色記憶手段に記憶された複数の音色データから所望の音色データを選択する音色選択手段と、
音色選択手段により選択された音色データを特定する音色指定情報と楽曲情報取得手段により取得された楽曲情報とを関連付けて記述した関連付け情報を楽曲・音色関連付けサーバに転送する関連付け情報転送手段と
を具備することを特徴とする楽曲対応音色情報提供システム。
【請求項４】
前記楽曲・音色関連付けサーバに蓄積される関連付け情報には、更に音色データの編集内容を表わす音色編集情報を関連付けて記述したものが含まれ、
前記電子音楽装置は、さらに、前記音色選択手段により選択された音色データを編集する音色編集手段を具備し、
前記関連付け情報転送手段により転送される関連付け情報には、更に、編集手段により編集された音色データの編集内容を表わす音色編集情報が関連付けて記述される
ことを特徴とする請求項３に記載の楽曲対応音色情報提供システム。
【発明の詳細な説明】
【技術分野】
【０００１】
この発明は、電子音楽装置において指定されたオーディオ楽曲データに対応してその楽曲の演奏に適した音色データの情報をサーバとの間で授受することができる楽曲対応音色情報提供システムに関する。
【背景技術】
【０００２】
従来より、電子楽器などの電子音楽装置においては、楽音信号の生成のために多数の音色データが用意されており、これらの音色データの中から選ばれた音色データに従って演奏を楽しむことができる。例えば、非特許文献１に示すようなシンセサイザーと呼ばれる電子楽器では、ボイスと呼ばれる音色データが利用され、非特許文献２に示されるように膨大なボイスが用意されている。これらのボイスは、ピアノ、オルガン、ギター等のカテゴリー（楽器種類）で分類されており、ユーザは、カテゴリーサーチと呼ばれるボイスのカテゴリーを元にした音色設定機能で所望の音色を探すことができる。
【先行技術文献】
【非特許文献】
【０００３】
【非特許文献１】「ＭＯＴＩＦ ＸＳ 取扱説明書」、ヤマハ株式会社、２００７年、第８８、８９、９３頁（http://www2.yamaha.co.jp/manual/pdf/emi/japan/synth/motifxs_ja_om_d0.pdf）
【非特許文献２】「ＭＯＴＩＦ ＸＳ データリスト」、ヤマハ株式会社、２００７年、第２〜９頁（http://www2.yamaha.co.jp/manual/pdf/emi/japan/synth/motifxs_en_dl_c0.pdf）
【０００４】
しかしながら、膨大なボイス（音色）を選択してどの様に使いこなせば良いのかをユーザに提供する仕組みが無く、ユーザが使用するボイスは限られてしまい、様々なボイスを使いこなすのが困難である。特に、音楽ＣＤや携帯用オーディオプレーヤ等に記録された楽曲集（アルバム）のオーディオ楽曲データについて、どのような音色データが使用されているのかを知りたい、或いは、どのような音色データが適しているのかを知りたいと思っても、このようなボイスの使用例を知ることができない。従って、適当にカテゴリーを決めてカテゴリーサーチをするしかなかった。
【発明の概要】
【発明が解決しようとする課題】
【０００５】
この発明は、このような事情に鑑み、電子音楽装置において、指定されたオーディオ楽曲データに対応してその楽曲の演奏に適した音色データの情報の提供をサーバから受けることができ、また、かかる音色データの情報をサーバに提供することができる楽曲対応音色情報提供システムを提供することを目的とする。
【課題を解決するための手段】
【０００６】
この発明の第１の特徴に従うと、音色データ毎かつオーディオ楽曲データ毎に当該音色データを特定する音色指定情報（Ｖｓ）と当該オーディオ楽曲データに関する楽曲情報（関連付け用タグ情報Ｔｇｒ）とを関連付けて記述した関連付け情報（ＲＲ）を蓄積する楽曲・音色関連付けサーバ（ＳＶ）と、この楽曲・音色関連付けサーバ（ＳＶ）に通信可能に接続される電子音楽装置（ＥＭ）とから成る楽曲対応音色情報提供システムであって、該電子音楽装置（ＥＭ）は、楽音信号の生成に用いられる複数の音色データ（ＶＰ）を記憶した音色記憶手段（３）と、オーディオ楽曲データを再生する楽曲再生手段（音源／効果部１０内の効果回路）と、楽曲再生手段（効果回路）により再生されるオーディオ楽曲データ（Ａｄｃ，Ａｄｕ）を収録した楽曲データ集（音楽ＣＤ１５及びＵＳＢメモリ１６に記録されたアルバム）から当該オーディオ楽曲データに関する楽曲情報（Ｔｇｃ，Ｔｇｕ）を取得する楽曲情報取得手段（Ｑ２，Ｑ２ａ）と、楽曲情報取得手段（Ｑ２，Ｑ２ａ）により取得された楽曲情報（Ｔｇｃ，Ｔｇｕ）に基づき探索された関連付け情報（ＲＲ）に含まれる音色指定情報（Ｖｓ）を楽曲・音色関連付けサーバ（ＳＶ）から取得する音色取得手段（Ｑ３〜Ｑ５）と、音色記憶手段（３）に記憶された複数の音色データ（ＶＰ）から、音色取得手段により取得された音色指定情報（Ｖｓ）に基づく音色データを選択して楽音信号生成手段（１０）にロードする音色選択手段（Ｑ７）とを具備する楽曲対応音色情報提供システム〔請求項１〕が提供される。なお、括弧書きは、理解の便のために付記した実施例の参照記号や用語等であり、以下においても同様である。
【０００７】
この発明による楽曲対応音色情報提供システムにおいて、関連付け情報（ＲＲ）には、更に音色データの編集内容を表わす音色編集情報（Ｅｄ）を関連付けて記述したものが含まれ、電子音楽装置（ＥＭ）は、さらに、楽曲情報取得手段（Ｑ２，Ｑ２ａ）により取得された楽曲情報（Ｔｇｃ，Ｔｇｕ）に基づき探索された関連付け情報（ＲＲ）に含まれる音色編集情報（Ｅｄ）を楽曲・音色関連付けサーバ（ＳＶ）から取得する編集情報取得手段（Ｑ８〜Ｑ９）を具備する〔請求項２〕ように構成することができる。
【０００８】
この発明の第２の特徴に従うと、音色データ毎かつオーディオ楽曲データ毎に当該音色データを特定する音色指定情報（Ｖｓ）と当該オーディオ楽曲データに関する楽曲情報（関連付け用タグ情報Ｔｇｒ）とを関連付けて記述した対応付け情報（ＲＲ）を蓄積する楽曲・音色関連付けサーバ（ＳＶ）と、この楽曲・音色関連付けサーバ（ＳＶ）に通信可能に接続される電子音楽装置（ＥＭ）とから成る楽曲対応音色情報提供システムであって、該電子音楽装置（ＥＭ）は、楽音信号の生成に用いられる複数の音色データ（ＶＰ）を記憶した音色記憶手段（３）と、複数のオーディオ楽曲データが収録された楽曲データ集（アルバム）を記憶した楽曲データ集記憶手段（音楽ＣＤ１５及びＵＳＢメモリ１６）と、楽曲データ集（アルバム）に収録されたオーディオ楽曲データ（Ａｄｃ，Ａｄｕ）を再生する楽曲再生手段（音源／効果部１０内の効果回路、Ｐ１）と、楽曲データ集（アルバム）から、楽曲再生手段（効果回路）により再生されるオーディオ楽曲データ（Ａｄｃ，Ａｄｕ）に関する楽曲情報（Ｔｇｃ，Ｔｇｕ）を取得する楽曲情報取得手段（Ｐ２，Ｐ２ａ）と、楽音信号の生成のために、音色記憶手段（３）に記憶された複数の音色データ（ＶＰ）から所望の音色データを選択する音色選択手段（Ｐ３）と、音色選択手段（Ｐ３）により選択された音色データを特定する音色指定情報と楽曲情報取得手段（Ｐ２，Ｐ２ａ）により取得された楽曲情報（Ｔｇｃ，Ｔｇｕ）とを関連付けて記述した関連付け情報を楽曲・音色関連付けサーバ（ＳＶ）に転送する関連付け情報転送手段（Ｐ８〜Ｐ１０）とを具備する楽曲対応音色情報提供システム〔請求項３〕が提供される。
【０００９】
この発明による楽曲対応音色情報提供システムにおいて、楽曲・音色関連付けサーバ（ＳＶ）に蓄積される関連付け情報（ＲＲ）には、更に音色データの編集内容を表わす音色編集情報（Ｅｄ）を関連付けて記述したものが含まれ、電子音楽装置（ＥＭ）は、さらに、音色選択手段（Ｐ３）により選択された音色データを編集する音色編集手段（Ｐ４）を具備し、関連付け情報転送手段（Ｐ８〜Ｐ１０）により転送される関連付け情報には、更に、編集手段（Ｐ４）により編集された音色データの編集内容を表わす音色編集情報が関連付けて記述される（Ｐ１０）〔請求項４〕ように構成することができる。
【発明の効果】
【００１０】
この発明による発明による楽曲対応音色情報提供システムでは、電子音楽装置（ＥＭ）において、楽音信号生成部（音源／効果部１０）における楽音信号の生成に用いられる複数の音色データ（ＶＰ）が音色記憶手段（３）に記憶されると共に、例えば、所定の音色データをプロの演奏家が使用して実際に演奏したオーディオ楽曲データ（Ａｄｃ，Ａｄｕ）を収録した楽曲データ集（アルバム）が楽曲データ集記憶手段（１５，１６）に記録されており、楽曲データ集（アルバム）中のオーディオ楽曲データ（Ａｄｃ，Ａｄｕ）を楽曲再生手段（音源／効果部１０内の効果回路）により再生することができる。また、電子音楽装置（ＥＭ）に通信可能に接続される楽曲・音色関連付けサーバ（ＳＶ）には、音色データ毎かつオーディオ楽曲データ毎に当該音色データを特定する音色指定情報（Ｖｓ）と当該オーディオ楽曲データに関する楽曲情報（関連付け用タグ情報Ｔｇｒ）とを関連付けて記述した対応付け情報（ＲＲ）が多数蓄積される。
【００１１】
この発明の第１の特徴による楽曲対応音色情報提供システムでは（請求項１）、電子音楽装置（ＥＭ）は、楽曲再生手段（効果回路）により再生されるオーディオ楽曲データ（Ａｄｃ，Ａｄｕ）を収録した楽曲データ集（音楽ＣＤ１５及びＵＳＢメモリ１６に記録されたアルバム）から当該オーディオ楽曲データに関する楽曲情報（Ｔｇｃ，Ｔｇｕ）を取得すると（Ｑ２，Ｑ２ａ）、取得した楽曲情報（Ｔｇｃ，Ｔｇｕ）に基づき探索された関連付け情報（ＲＲ）に含まれる音色指定情報（Ｖｓ）を楽曲・音色関連付けサーバ（ＳＶ）から取得し（Ｑ３〜Ｑ５）、音色記憶手段（３）に記憶された複数の音色データ（ＶＰ）から、取得した音色指定情報（Ｖｓ）に基づく音色データを選択して楽音信号生成手段（１０）にロードする（Ｑ７）ようにしている。従って、この発明によれば、電子音楽装置ユーザは、自身が所持する音楽ＣＤや携帯用オーディオプレーヤ（ＵＳＢメモリ）などに録音されたオーディオ楽曲データを指定するのに対応して、その楽曲を演奏するのに適した音色データの情報の提供を楽曲・音色関連付けサーバから受けることができ、ユーザは、指定したオーディオ楽曲データの楽曲に適した音色がどれかわかり、簡単に、楽音信号生成の設定に反映させることができる。さらに、曲を鳴らしながら演奏すれば、バンドメンバになったかのように演奏を体験することができ、ユーザに、プロと同じ音色でプレイする楽しさを提供することができる。
【００１２】
この発明による楽曲対応音色情報提供システム（請求項１）において、関連付け情報（ＲＲ）には、更に音色データの編集内容を表わす音色編集情報（Ｅｄ）を関連付けて記述したものが含まれ、電子音楽装置（ＥＭ）は、さらに、再生されるオーディオ楽曲データ（Ａｄｃ，Ａｄｕ）に関する楽曲情報（Ｔｇｃ，Ｔｇｕ）に基づき探索された関連付け情報（ＲＲ）に含まれる音色編集情報（Ｅｄ）を楽曲・音色関連付けサーバ（ＳＶ）から取得する（Ｑ８〜Ｑ９）（請求項２）。従って、この発明によれば、編集された音色データを使用したオーディオ楽曲データの場合でも、簡単に、楽音信号生成の設定に反映させることができる。
【００１３】
この発明の第２の特徴による楽曲対応音色情報提供システムでは（請求項３）、電子音楽装置（ＥＭ）は、楽曲データ集（音楽ＣＤ１５及びＵＳＢメモリ１６に記録されたアルバム）に収録されたオーディオ楽曲データ（Ａｄｃ，Ａｄｕ）を再生する際（Ｐ１）、再生するオーディオ楽曲データ（Ａｄｃ，Ａｄｕ）に関する楽曲情報（Ｔｇｃ，Ｔｇｕ）を楽曲データ集（アルバム）から取得し（Ｐ２，Ｐ２ａ）、楽音信号の生成のために、音色記憶手段（３）から所望の音色データ（ＶＰ）を選択すると（Ｐ３）、選択した音色データ（ＶＰ）を特定する音色指定情報と取得した楽曲情報（Ｔｇｃ，Ｔｇｕ）とを関連付けて記述した関連付け情報を楽曲・音色関連付けサーバ（ＳＶ）に転送する（Ｐ８〜Ｐ１０）ようにしている。従って、この発明によれば、ユーザは、自身が所持する音楽ＣＤや携帯オーディオプレーヤ（ＵＳＢメモリ）などに録音されたオーディオ楽曲データを指定し、指定したオーディオ楽曲データを再生しつつ所望の音色データを選択してその楽曲を演奏することで、指定したオーディオ楽曲データの楽曲を演奏するのに適した音色データの情報を楽曲・音色関連付けサーバに提供することができ、サーバ側では、楽曲とこれに適した音色とを関連付けるために用意される関連付け情報を充実することができる。
【００１４】
この発明による楽曲対応音色情報提供システム（請求項３）において、楽曲・音色関連付けサーバ（ＳＶ）に蓄積される関連付け情報（ＲＲ）には、更に音色データの編集内容を表わす音色編集情報（Ｅｄ）を関連付けて記述したものが含まれ、電子音楽装置（ＥＭ）では、さらに、選択された音色データを編集し（Ｐ４）、楽曲・音色関連付けサーバ（ＳＶ）に転送される関連付け情報には、更に、編集された音色データの編集内容を表わす音色編集情報が関連付けて記述される（Ｐ１０）（請求項４）。従って、この発明によれば、電子音楽装置に搭載された音色データを編集して楽音信号を生成させた場合、サーバ側に用意される関連付け情報に音色編集情報をも関連付けることができる。
【図面の簡単な説明】
【００１５】
【図１】この発明の一実施例による電子音楽装置のハードウエア構成を示す。
【図２】この発明の一実施例による楽曲対応音色情報提供システムの構成例を示す。
【図３】この発明の一実施例によるアップロード処理フロー例を示す。
【図４】この発明の一実施例によるアップロード処理の一部代替フロー例を示す。
【図５】この発明の一実施例によるサーバ側アップロード処理フロー例を示す。
【図６】この発明の一実施例によるダウンロード処理フロー例を示す。
【発明を実施するための形態】
【００１６】
〔ハードウエア構成例〕
図１は、この発明の一実施例による楽曲対応音色情報提供システムにおける電子音楽装置のハードウエア構成例である。この電子音楽装置ＥＭは、シンセサイザー等の音楽情報処理専用の電子楽器、或いは、このような電子楽器と同等の音楽情報処理機能を有するパーソナルコンピュータ（ＰＣ）のような汎用の情報処理装置が用いられ、中央処理装置（ＣＰＵ）１、ランダムアクセスメモリ（ＲＡＭ）２、読出専用メモリ（ＲＯＭ）３、不揮発記憶部（不揮発メモリともいう）４、音楽ＣＤドライブ５、ＵＳＢインターフェース（ＵＳＢＩ／Ｆ）６、演奏操作入力部７、設定操作入力部８、表示部９、音源／効果部１０、ＭＩＤＩインターフェース（ＭＩＤＩＩ／Ｆ）１１、通信インターフェース（通信Ｉ／Ｆ）１２等の要素を備え、これら要素１〜１２はバス１３を介して互いに接続される。
【００１７】
電子音楽装置ＥＭ全体を制御するＣＰＵ１は、ＲＡＭ２及びＲＯＭ３と共にデータ処理部を構成し、種々の制御プログラムに従い、タイマ１４によるクロックを利用して楽曲対応音色情報提供処理を含む種々の処理を実行する。ＲＡＭ２は、これらの処理に際して必要な各種データを一時的に記憶するためのワーク領域として用いられる。ＲＯＭ３は、楽曲対応音色情報提供処理プログラム等の制御プログラムや制御データ等を記憶しておくことができ、例えば、プリセットボイス領域には多数の音色データ（プリセットボイスＶＰ）が記憶されている。なお、「ボイス」は、「音色」或いは「音色データ」を意味する。
【００１８】
不揮発記憶部４は、ハードディスク（ＨＤ）やフラッシュメモリ等の半導体メモリなどの不揮発性記憶媒体を用いた内蔵記憶手段であり、必要な任意のデータを記録することができる。例えば、演奏データ記憶エリアには外部から取得した演奏データを記憶することができる。なお、演奏データはＭＩＤＩ等のイベント形式の音楽データである。
【００１９】
音楽ＣＤドライブ（オーディオＣＤドライブともいう）５は、着脱可能な記憶媒体である音楽用コンパクトディスク（音楽ＣＤ又はオーディオＣＤという）１５を駆動する装置であり、音楽ＣＤ１５には、複数のオーディオ楽曲データから成る楽曲データ集（アルバムともいう）を記録したものが含まれる。ＵＳＢＩ／Ｆ６は、その接続スロットに装着（接続）された外部ＵＳＢ機器との間で種々の情報授受を行うことができる。例えば、図示のように、外部ＵＳＢ機器としてＵＳＢフラッシュメモリ（単にＵＳＢメモリともいう）１６の接続が可能であり、ＵＳＢメモリ１６にも、複数のオーディオ楽曲データから成る楽曲データ集を記録したものが含まれる。なお、ＵＳＢメモリ１６については、自身のメモリ内に記憶されたオーディオ楽曲データを自身で再生する機能を有するイヤホン付き携帯オーディオ機器（携帯用オーディオプレーヤともいう）があり、このような携帯オーディオ機器では、ユーザは、その再生出力をイヤホンで聴取することができる。
【００２０】
演奏操作入力部（演奏操作部ともいう）７は、鍵盤などの演奏操作子と、演奏操作子の演奏操作を検出する演奏操作検出回路から成り、演奏操作の内容に対応する演奏操作情報をデータ処理部（１〜３）に導入し、データ処理部は、この演奏操作情報に基づく演奏データを生成して音源／効果部１０に送る。設定操作入力部（パネル操作部ともいう）８は、スイッチやロータリーエンコーダ（ダイヤル）等の設定操作子（パネル操作子）と、設定操作子の設定を検出する設定操作検出回路から成り、設定操作の内容に対応する設定操作情報をデータ処理部に導入し、データ処理部は、この設定操作情報に基づき電子音楽装置ＥＭの各部について種々の設定を行う。設定操作子には、例えば、電子音楽装置ＥＭのアップロードモードにおいて、楽曲の演奏に好適な音色設定の情報をサーバ（ＳＶ）にアップロードするためのアップロードボタンを設けることができる。
【００２１】
表示部９は、演奏や設定に必要な各種画面を表示するＬＣＤ等のディスプレイやＬＥＤ等のインジケータ／ランプと、これらの表示・点灯内容をデータ処理部からの指令に従って制御する表示回路から成り、演奏操作や設定操作などに関する表示援助を行う。
【００２２】
音源／効果部１０は、音源回路とＤＳＰを有する効果回路とから成り、楽音信号生成部とも呼ばれる。音源回路は、演奏操作入力部７の演奏操作情報から得られる演奏データに基づくオーディオ楽音信号を生成したり、不揮発記憶部４或いはＭＩＤＩＩ／Ｆ１１から得られるＭＩＤＩ形式の演奏データに基づくオーディオ楽音信号を生成し、効果回路は、音源回路で生成されるオーディオ楽音信号に所定の効果を付与する。効果回路は、また、オーディオＣＤ１５やＵＳＢメモリ１６等に記憶されたオーディオ楽曲データを再生して対応するオーディオ楽音信号を生成することができ、オーディオ楽曲データの再生部として機能する。サウンドシステム１７は、Ｄ／Ａ変換部やアンプ、スピーカ等を備え、音源／効果部１０から出力されるオーディオ楽音信号に基づく楽音を発生する。なお、ＵＳＢメモリ１６として携帯オーディオ機器が用いられる場合には、このような再生部やサウンドシステム１７を用いなくても、オーディオ楽音をイヤホンで聴取することができる。
【００２３】
ＭＩＤＩＩ／Ｆ１１には、この電子音楽装置ＥＭと同様にＭＩＤＩ音楽情報処理機能を有する外部ＭＩＤＩ機器ＭＤが接続され、ＭＩＤＩＩ／Ｆ１１を通じて外部ＭＩＤＩ機器ＭＤと電子音楽装置ＥＭとの間でＭＩＤＩ演奏データを授受することができる。通信Ｉ／Ｆ１２にはインターネットやローカルエリアネットワーク（ＬＡＮ）などの通信ネットワークＣＮが接続され、外部のサーバコンピュータ（ＳＶ）等から制御プログラムや音楽コンテンツ等をダウンロードして記憶手段４に保存し利用することができる。この電子音楽装置ＥＭは、特に、図示のように、「楽曲・音色関連付けサーバ」と呼ばれるサーバコンピュータＳＶと通信し、電子音楽装置ＥＭで再生されるオーディオ楽曲データで使用されている音色データに関する情報を楽曲・音色関連付けサーバＳＶからダウンロードしたり、このようなオーディオ楽曲データの再生に合わせて演奏したときに使用した音色データに関する情報をサーバＳＶにアップロードすることができる。
【００２４】
楽曲・音色関連付けサーバＳＶは、図１に示される電子音楽装置ＥＭのハードウエアと同様の構成を有する汎用情報処理装置が用いられ、演奏操作入力部、音源／効果部、ＭＩＤＩＩ／Ｆは不要である。サーバＳＶには、後述するように、不揮発メモリをデータ蓄積部としてＣＤデータベース（ＣＢ）及び関連付けデータベース（ＲＢ）が構築される。
【００２５】
〔システム構成例〕
この発明の一実施例による楽曲対応音色情報提供システムでは、電子音楽装置ＥＭは、楽音信号の生成に利用可能な音色データ（ボイス）を多数備えると共に、音楽ＣＤ１５やＵＳＢメモリ１６に記録されたオーディオ楽曲データを再生することができ、楽曲再生のために所望のオーディオ楽曲データを指定すると、当該オーディオ楽曲データを作成する際に使用された音色データに関する情報（楽曲対応音色情報）を楽曲・音色関連付けサーバＳＶから電子音楽装置ＥＭに提供する楽曲対応音色情報提供機能が実行される。この楽曲対応音色情報提供機能では、電子音楽装置ＥＭにて、所望のオーディオ楽曲データを指定し、オーディオ楽曲データの再生に合わせて所定の音色データで演奏した際、このオーディオ楽曲データの楽曲イメージにぴったりの演奏結果が得られた場合に、この演奏に使用した音色データに関する情報をサーバＳＶにアップロードすることができる。図２は、この発明の一実施例による楽曲対応音色情報提供システムの構成例を示す。
【００２６】
図２において、電子音楽装置ＥＭは、ＲＯＭ３上のプリセットボイス領域内に、予め、バンク（ＰＲＥ１，ＰＲＥ２，…）毎かつボイスナンバ（００１，００２，…）毎のプリセット音色データ（プリセットボイス）ＶＰを多数記憶している。各音色データＶＰは、オリジナル音色データ（オリジナルボイス）とも呼ばれ、複数の音色パラメータ：ボイスパラメータ１，２，…から成る。また、電子音楽装置ＥＭでは、ユーザ操作によりオリジナル音色データＶＰを編集することができ、この編集で得られた複数のユーザ音色データ（ユーザボイス）ＶＵを不揮発メモリ４上のユーザボイス領域内に記憶することができる。各ユーザ音色データＶＵは、編集対象になったオリジナル音色データＶＰのプリセットボイス領域におけるバンク（ＰＲＥ１，ＰＲＥ２，…の何れか）及びボイス番号（００１，００２，…の何れか）でオリジナル音色データＶＰを指定するオリジナルボイス指定情報と、複数のユーザ音色パラメータ：ボイスパラメータ１，２，…から成る。
【００２７】
また、電子音楽装置ＥＭの音楽ＣＤドライブ５には、複数のオーディオ楽曲データＡｄｃを収録したオーディオ楽曲集（アルバム）が記録された音楽ＣＤ１５を装着することができる。音楽ＣＤ１５には、収録された複数のオーディオ楽曲データＡｄｃに対して１つのＴＯＣ（ Table Of Contents）情報Ｔｏｃが記録されている。ＴＯＣ情報Ｔｏｃは、音楽ＣＤ１５の記録内容を表わす目次情報であり、曲数及び演奏時間を含み、必要に応じて収録楽曲の案内テキスト情報（ＣＤ−ＴＥＸＴ）を含ませることができる。
【００２８】
また、ＵＳＢＩ／Ｆ６にも、複数のオーディオ楽曲データＡｄｕを収録したオーディオ楽曲集（アルバム）が記録されたＵＳＢメモリ１６を接続することができる。ＵＳＢメモリ１６には、収録された複数のオーディオ楽曲データＡｄｕの夫々に対応してタグ情報Ｔｇｕが記録されており、各オーディオ楽曲データＡｄｕ及び対応するタグ情報Ｔｇｕで１つの曲データＡＤが構成される。各タグ情報Ｔｇｕは、楽曲情報とも呼ばれ、各オーディオ楽曲データＡｄｕを特定するための情報であり、当該オーディオ楽曲データＡｄｕについて、その楽曲タイトル、元々収録されていた音楽ＣＤのオリジナル楽曲集（アルバム）のタイトル（アルバム名）、当該オリジナル楽曲集において何番目の楽曲であるかを示す楽曲番号、作成（演奏）したアーティストの名称（アーティスト名）などのアルバム情報が含まれ、さらに、当該オーディオ楽曲データＡｄｕに関するＩＳＲＣ（International
Standard Recoding Code：国際標準レコーディングコード）などの情報が含まれる。これらの情報は、ユーザが所定のツールを使ってオーディオ楽曲データＡｄｕを音楽ＣＤからリッピング（コピー）した際に、そのツールがネットワーク上のサーバを利用して付与したものであったり、或いは、ユーザが手動で入力したものである。
【００２９】
楽曲・音色関連付けサーバＳＶには、複数の電子音楽装置ＥＭから通信ネットワークＣＮを介してアクセス可能であり、ＣＤデータベースＣＢ及び関連付けデータベースＲＢが構築されている。ＣＤデータベースＣＢは、市販されている音楽ＣＤに記録されたオーディオ楽曲集（アルバム）毎に、ＣＤデータベースＩＤ情報（単に「ＣＤデータベースＩＤ」ともいう）Ｃｉｄと、アルバム全体に関するタグ情報（アルバムタグ情報という）Ｔｇａと、収録されている各オーディオ楽曲データに関するタグ情報（楽曲タグ情報という）Ｔｇｃ：Ｔｇｃ１，Ｔｇｃ２，…とを蓄積している。ここで、ＣＤデータベースＩＤＣｉｄは、このＣＤデータベースＣＢにおいて音楽ＣＤを特定するＩＤであり、アルバムタグ情報Ｔｇａは、アルバムタイトル、作成したアーティストの名称などのオーディオ楽曲集（アルバム）全体に関する情報であり、各楽曲タグ情報Ｔｇｃ（Ｔｇｃ１，Ｔｇｃ２，…）は、各オーディオ楽曲データＡｄｃについて、その楽曲タイトル、当該アルバムにおける楽曲番号、作詞者名や作曲者名などが含まれ、さらに、当該オーディオ楽曲データＡｄｃに関するＩＳＲＣなどの情報が含まれる。電子音楽装置ＥＭは、音楽ＣＤ１５からオーディオ楽曲データＡｄｃが再生対象に指定されると、音楽ＣＤ１５に記録されたＴＯＣ情報Ｔｏｃの「曲数及び演奏時間」が示す固有のビットパターンから特定される音楽ＣＤ１５のＣＤデータベースＩＤＣｉｄを生成し、アルバムタイトルやアーティストやジャンルなどオーディオ楽曲集（アルバム）全体についてのアルバムタグ情報Ｔｇａと、収録されている各オーディオ楽曲データについてのタイトルや作曲者といった楽曲タグ情報ＴｇｃとをＣＤデータベースＣＢから探索する。
【００３０】
また、関連付けデータベースＲＢには、機種及び音色データ（ボイス）ＶＣ（ＶＰ）毎かつオーディオ楽曲データＡＤ（Ａｄｃ，Ａｄｕ）毎の関連付け情報レコードＲＲが多数蓄積されている。各関連付け情報レコードＲＲは、機種情報Ｍｄ、音色指定情報Ｖｓ、音色編集情報Ｅｄ、タグ情報Ｔｇｒ、ランク情報Ｒｎなどで構成され、さらに、このような関連付け情報レコードＲＲの概要を電子音楽装置ＥＭ上に表示するための表示項目情報（例えば、音色名、音色編集の有無、アルバム名、楽曲名等）が含まれる。
【００３１】
各関連付け情報レコードＲＲにおいて、機種情報Ｍｄ及び音色指定情報Ｖｓは、夫々の音色データＶＣを特定するための情報であり、機種情報Ｍｄは、当該音色データＶＣが搭載されている電子音楽装置ＥＭの「機種」を表わし、音色指定情報Ｖｓは、当該音色データＶＣが記録されている「バンク」と当該バンク内において当該音色データＶＣに付けられた「ボイスナンバ」と呼ばれる「音色データ番号」とから成る。音色編集情報Ｅｄは、予めプリセット音色データＶＰとして各電子音楽装置ＥＭに搭載されているオリジナル音色データ中の音色パラメータを編集してオーディオ楽曲データＡＤが作成されている場合に、音色パラメータの編集内容を表わす情報であり、編集された音色パラメータ（ボイスパラメータ）群、或いは、編集された音色パラメータのオリジナルからの差分（変更内容）で示される。なお、この場合、編集対象とされたオリジナル音色データＶＰが機種情報Ｍｄ及び音色指定情報Ｖｓで特定される。
【００３２】
タグ情報Ｔｇｒは、既述した音楽ＣＤ１５やＵＳＢメモリ１６におけるタグ情報Ｔｇａ，Ｔｇｃ，Ｔｇｕと同様に、夫々の音色データＶＣが使用されている夫々のオーディオ楽曲データＡＤに付加される情報であり、当該オーディオ楽曲データＡＤの楽曲タイトル、当該オーディオ楽曲データＡＤが収録されているアルバムのタイトル、当該アルバムにおいて当該オーディオ楽曲データＡＤが何番目の楽曲であるかを示す楽曲番号、当該オーディオ楽曲データＡＤを作成（演奏）したアーティストの名称などのアルバム情報や、当該オーディオ楽曲データＡＤに関するＩＳＲＣなどが含まれる。また、ランク情報Ｒｎは、当該オーディオ楽曲データＡＤにおける当該音色データＶＣの使用頻度から見たお薦め具合をランクで表わす情報であり、例えば、使用頻度の高さ順にランクＡ，Ｂ，Ｃ，…に分けてお薦め具合をユーザに提示するのに用いられる。
【００３３】
楽曲対応音色情報提供システムにおける電子音楽装置ＥＭの動作モードには、ダウンロードモード及びアップロードモードがある。ダウンロードモードでは、電子音楽装置ＥＭにおいて、例えば、音楽ＣＤ１５の楽曲データ集から所望のオーディオ楽曲データＡｄｃを指定すると、楽曲・音色関連付けサーバＳＶは、上述したように、指定された楽曲データＡｄｃに対応する楽曲情報（タグ情報）ＴｇｃをＣＤデータベースＣＢから探索し、探索した楽曲情報Ｔｇｃ及び電子音楽装置ＥＭの機種情報Ｍｄに基づいて関連付けデータベースＲＢから関連付け情報ＲＲを探索して返送する。また、ＵＳＢメモリ１６から所望のオーディオ楽曲データＡｄｕを指定した場合、サーバＳＶは、当該楽曲データＡｄｕに対応するタグ情報Ｔｇｕ及び電子音楽装置ＥＭの機種情報Ｍｄに基づいて関連付けデータベースＲＢから関連付け情報ＲＲを探索して返送する。電子音楽装置ＥＭは、サーバＳＶからの関連付け情報ＲＲに含まれる音色指定情報Ｖｓで指定される音色データＶＰを記憶手段３から読み出して楽音信号生成部１０に設定する。なお、編集情報Ｅｄを含む場合は、音色編集情報Ｅｄに従った音色パラメータを設定する。一方、アップロードモードでは、楽曲データＡｄｃ，Ａｄｕを指定して音色を設定した場合、設定状態を表わす関連付け情報をデータベースＲＢに送り込むことができる。
【００３４】
〔アップロード時楽曲対応音色情報提供処理の動作フロー例〕
図３〜図５は、この発明の一実施例によるアップロードモードにおける楽曲対応音色情報提供処理（アップロード処理という）の例を表わすフローチャートを示す。電子音楽装置ＥＭでは、楽曲対応音色情報提供処理の動作待機状態においてアップロード処理の指定操作があると、図３或いは図４に示す電子音楽装置側アップロード処理を開始し、ＣＤ楽曲再生操作がなされた場合は、ＣＰＵ１は、まず、図３のステップＰ１で、ＣＤ楽曲再生操作に応じて音楽ＣＤ１５の楽曲再生を制御する。
【００３５】
つまり、オーディオ楽曲データＡｄｃが収められた記録媒体即ち音楽ＣＤ１５が音楽ＣＤドライブ５に装着されると、これを検知して、音楽ＣＤ１５に記録された楽曲集から、そこに収録されている複数のオーディオ楽曲データＡｄｃの情報（曲データ数や各曲長）を取得し表示部９のディスプレイに表示し、表示した複数のオーディオ楽曲データＡｄｃから所望のオーディオ楽曲データを選択する操作がなされると、選択された楽曲データＡｄｃを指定する。このように音楽ＣＤ１５の装着から所望のオーディオ楽曲データＡｄｃを指定するまでの種々のユーザ操作はＣＤ楽曲再生操作と呼ばれ、かかるＣＤ楽曲再生操作がなされると、ステップＰ１で、ＣＤ楽曲再生操作に基づいて音楽ＣＤ１５中の楽曲集から所望のオーディオ楽曲データＡｄｃを指定し、指定した楽曲データＡｄｃによる楽曲再生の制御を楽曲再生部（即ち音源／効果部１０の効果回路）に指示する。
【００３６】
次のステップＰ２で電子音楽装置ＥＭは、まず、音楽ＣＤ１５中のＴＯＣ情報（音楽ＣＤ１５に含まれる曲データ数やそれぞれの曲長などを含む）を取得し、ＴＯＣ情報から音楽ＣＤ１５に対応するＣＤデータベースＩＤＣｉｄを生成し、楽曲・音色関連付けサーバＳＶに送る。楽曲・音色関連付けサーバＳＶでは、ＣＤデータベースＩＤＣｉｄをキーにしてＣＤデータベースＣＢのＣＤ情報レコードＣＲが探索され、検索されたＣＤ情報レコードＣＲ中のアルバムタグ情報Ｔｇａ及び楽曲タグ情報Ｔｇｃを電子音楽装置ＥＭに送る。電子音楽装置ＥＭは、それを受け取り、その中からアルバムタグ情報Ｔｇａと、指定しだ楽曲データＡｄｃに関する楽曲タグ情報Ｔｇｃとを取得する。
【００３７】
続くステップＰ３では、ユーザによるボイス選択操作に応じてＲＯＭ３のプリセット音色データＶＰを選択し、更に次のステップＰ４では、ユーザによるパラメータ編集操作があれば、これに応じて、選択されたプリセット音色データ（オリジナルボイス）ＶＰのボイスパラメータを編集して編集結果をユーザ音色データＶＵとして不揮発メモリ４のユーザボイス記憶エリアに記憶する。続いて、ステップＰ５で、指定したオーディオ楽曲データＡｄｃと同じ楽曲に関する演奏操作入力部７の演奏操作情報の入力或いは不揮発メモリ４乃至外部ＭＩＤＩ機器ＭＤからの演奏データの入力（演奏入力という）に応じて、対応する楽音信号を生成するように楽音信号生成部（即ち音源／効果部１０）に指示する。さらに、ステップＰ６において、ステップＰ３で選択したプリセット音色データＶＰを指定する音色指定情報と、ステップＰ２で取得したアルバムタグ情報Ｔｇａ及び楽曲タグ情報Ｔｇｃとの組み合わせ（ステップＰ４でボイスパラメータを編集した場合は更にボイスパラメータ編集内容との組み合わせ）について、組み合わせが成立した後の経過時間を記録する。
【００３８】
次いで、ステップＰ７にて、この組み合わせが成立した後、所定の時間が経過したか否かを判定し、所定の時間が経過していないときは（Ｐ７＝ＮＯ）、ステップＰ１に戻り、音色指定情報とタグ情報Ｔｇｃとの組み合わせ成立後所定時間が経過しない間は上述したステップＰ１〜Ｐ７の処理を繰り返す。つまり、新たなＣＤ楽曲再生操作、音色選択操作、音色編集操作或いは演奏入力があれば、ステップＰ１〜Ｐ２、ステップＰ３、ステップＰ４或いはステップＰ５の処理を行って、以前の組み合わせをクリアし、音色指定情報とアルバムタグ情報Ｔｇａ及び楽曲タグ情報Ｔｇｃとの新たな組み合わせ（ボイスパラメータを編集した場合は更にボイスパラメータ編集内容との組み合わせ）について経過時間を記録する。また、これらの操作がなければ、これらステップＰ１〜Ｐ５の処理をスルーして、オーディオ楽曲データＡｄｃの再生、並びに、演奏入力に応じた楽音信号の生成を続行し、所定時間が経過すると（Ｐ７＝ＹＥＳ）、ステップＰ８に進む。
【００３９】
ステップＰ８では、楽音信号の生成に用いている音色データがプリセット音色データ（プリセットボイス）ＶＰであるか否かを判定する。ここで、プリセット音色データＶＰを用いているときは（Ｐ８＝ＹＥＳ）、ステップＰ９に進み、電子音楽装置ＥＭ自身の機種情報Ｍｄと音色指定情報とタグ情報との組み合わせを楽曲・音色関連付けサーバＳＶの関連付けデータベースＲＢにアップロードする。一方、ユーザ音色データ（ユーザボイス）ＶＵを用いているときは（Ｐ８＝ＮＯ）、ステップＰ１０に進んで、オリジナルボイスＶＰを指定する音色指定情報（オリジナルボイス指定情報）と、オリジナルパラメータ編集情報〔オリジナルボイスＶＰに対して編集された１乃至複数のボイスパラメータ（ボイスパラメータ群）或いはオリジナルボイスパラメータからの差分〕と、タグ情報との組み合わせを、サーバＳＶの関連付けデータベースＲＢにアップロードする。
【００４０】
ステップＰ９，Ｐ１０におけるアップロードの後は、アップロードした組み合わせについて、これまで記録してきた経過時間をリセットして新たな経過時間の計時を開始し、ステップＰ１に戻り、上述したステップＰ１〜Ｐ１０の動作を繰り返す。そして、演奏入力の終了或いはアップロードモードの終了操作があると、このアップロード処理を終了し、元の動作待機状態にリターンする。
【００４１】
電子音楽装置ＥＭにおいて、アップロード処理を開始したときにＵＳＢメモリ楽曲再生操作がなされた場合には、図４（１）に示すように、ステップＰ１ａに進み、ＵＳＢメモリ楽曲再生操作に応じてＵＳＢメモリ１６の楽曲再生を制御し、続くステップＰ２ａで、ＵＳＢメモリ１６の曲データから、指定したオーディオ楽曲データＡｄｕに対応するタグ情報Ｔｇｕを取得する。つまり、オーディオ楽曲データＡｄｕを収めた記録媒体即ちＵＳＢメモリ１６がＵＳＢＩ／Ｆ６に接続されると、これを検知して、ＵＳＢメモリ１６に記録された楽曲集から、そこに収録されている複数のオーディオ楽曲データＡｄｕの情報を取得し表示部９のディスプレイに表示し、表示した複数のオーディオ楽曲データＡｄｕから所望のオーディオ楽曲データを選択する操作がなされると、選択された楽曲データＡｄｕを指定する。このようにＵＳＢメモリ１６の接続から所望楽曲データＡｄｕの指定に至る種々のユーザ操作つまりＵＳＢメモリ楽曲再生操作がなされると、順次ステップＰ１ａ，Ｐ２ａに進んで所望楽曲データＡｄｕのタグ情報Ｔｇｕを取得する。その後は、図３のステップＰ３〜Ｐ１０に進み、ＣＤ楽曲再生時と同じ態様でアップロード処理を行う。
【００４２】
なお、図３のアップロード処理では、音色指定情報及びタグ情報（更に音色編集情報）の同一組み合わせが所定時間継続すると（Ｐ７＝ＹＥＳ）、選択したオーディオ楽曲データＡｄｃに相応しい音色が設定されていると見做して自動的に楽曲・音色関連付けサーバＳＶにアップロードする（Ｐ８〜Ｐ１０）ようにしているが、図４（２）に示すように、手動でサーバＳＶにアップロードする構成にしてもよい。つまり、設定操作検出部８にサーバアップボタンを設けると共に、図３の継続時間判定ステップＰ７に代えてサーバアップボタン操作検出ステップＰ７ｂを設け、ステップＰ３で選択したプリセット音色データＶＰ或いはさらにステップＰ４で編集したボイスパラメータに従って演奏入力に応じて生成される楽音を聴取したユーザが、選択したオーディオ楽曲データＡｄｃに相応しい音色が設定されていると感じたときに、サーバアップボタンを操作するようにし、サーバアップボタンの操作があると（Ｐ７ｂ＝ＹＥＳ）、選択したオーディオ楽曲データＡｄｃに相応しい音色が設定されているとして、ステップＰ８〜Ｐ１０のアップロード動作を行う。
【００４３】
電子音楽装置ＥＭ側のアップロード処理で、機種情報、音色指定情報及びタグ情報（更に音色編集情報）の組み合わせが楽曲・音色関連付けサーバＳＶ側にアップロードされると、サーバＳＶでは、図５に示されるようなサーバ側アップロード処理が行われる。最初のステップＳ１では、アップロードされた組み合わせが、関連付けデータベースＲＢに既に蓄積されている既存の関連付け情報レコードに該当するか否かを判定する。ここで、既存の関連付け情報レコードＲＲに該当するときは（Ｓ１＝ＹＥＳ）、ステップＳ２に進み、該当する既存の関連付け情報レコードＲＲのランク情報Ｒｎを更新し、ランクを上げる。また、既存の関連付け情報レコードＲＲに該当しないときには（Ｓ１＝ＮＯ）、ステップＳ３に進んでレコードＲＲを新設する。つまり、アップロードされた組み合わせに、最下位ランクを示すランク情報Ｒｎを付加し、新たな関連付け情報レコードＲＲとして関連付けデータベースＲＢに蓄積する。そして、ステップＳ２，Ｓ３の処理を実行した後は、今回のサーバ側アップロード処理を終了する。
【００４４】
〔ダウンロード時楽曲対応音色情報提供処理の動作フロー例〕
図６は、この発明の一実施例によるダウンロードモードにおける楽曲対応音色情報提供処理（ダウンロード処理という）の例を表わすフローチャートを示す。電子音楽装置ＥＭでは、楽曲対応音色情報提供処理の動作待機状態においてダウンロード処理の指定操作があると、図６に示すダウンロード処理を開始し、ユーザによるＣＤ楽曲指定操作があった場合、ＣＰＵ１は、ステップＱ１で、この操作に応じて、音楽ＣＤドライブ５に装着された音楽ＣＤ１５から所望のオーディオ楽曲データＡｄｃを指定する。つまり、音楽ＣＤ１５が音楽ＣＤドライブ５に装着されると、これを検知して、音楽ＣＤ１５に記録された楽曲集に収録されている複数のオーディオ楽曲データＡｄｃの情報（曲データ数や各曲長）を取得しディスプレイ（９）に表示し、これらオーディオ楽曲データＡｄｃから所望のオーディオ楽曲データを選択するＣＤ楽曲指定操作がなされると、選択された楽曲データＡｄｃを指定する。
【００４５】
次のステップＱ２で電子音楽装置ＥＭは、音楽ＣＤ１５中のＴＯＣ情報（音楽ＣＤに含まれる曲データ数やそれぞれの曲長などを含む）を取得し、ＴＯＣ情報から音楽ＣＤ１５に対応するＣＤデータベースＩＤＣｉｄを生成し、楽曲・音色関連付けサーバＳＶに送る。楽曲・音色関連付けサーバＳＶでは、ＣＤデータベースＩＤＣｉｄをキーにしてＣＤデータベースＣＢのＣＤ情報レコードＣＲが探索される。そして、検索されたＣＤ情報レコードＣＲ中のアルバムタグ情報Ｔｇａ及び楽曲タグ情報Ｔｇｃを電子音楽装置ＥＭに送る。電子音楽装置ＥＭは、それを受け取り、その中から、アルバム全体に関するアルバムタグ情報Ｔｇａと、指定した楽曲データに関する楽曲タグ情報Ｔｇｃとを取得する。そして、ステップＱ３に進む。
【００４６】
一方、ダウンロード処理の開始時にＵＳＢメモリ楽曲指定操作があった場合は、ステップＱ１ａで、この操作に応じて、ＵＳＢＩ／Ｆ６に接続（装着）されたＵＳＢメモリ１６から所望のオーディオ楽曲データＡｄｕを指定し、続くステップＱ２ａで、ＵＳＢメモリ１６の曲データＡＤから、指定した楽曲データＡｄｕに対応するタグ情報Ｔｇｕを取得する。つまり、ＵＳＢメモリ１６が接続（装着）されると、これを検知して、ＵＳＢメモリ１６に記録された楽曲集に収録されている複数のオーディオ楽曲データＡｄｕの情報を取得しディスプレイ（９）に表示する。これら楽曲データＡｄｃから所望の楽曲データを選択するＵＳＢメモリ楽曲指定操作がなされると、選択された楽曲データＡｄｕを指定し（Ｑ１ａ）、指定した楽曲データＡｄｕのタグ情報Ｔｇｕを取得し（Ｑ２ａ）、ステップＱ３に進む。
【００４７】
ステップＱ３で電子音楽装置ＥＭは、自身の機種情報Ｍｄと、ステップＱ２で取得したアルバムタグ情報Ｔｇａ及び楽曲タグ情報Ｔｇｃ、或いは、ステップＱ２ａで取得した楽曲タグ情報Ｔｇｕとを、サーバＳＶに送り、対応する関連付け情報レコード一覧データを要求する。サーバＳＶは、電子音楽装置ＥＭから送られてきた機種情報Ｍｄとタグ情報Ｔｇａ，Ｔｇｃ或いはタグ情報Ｔｇｕとをキーにして、関連付けデータベースＲＢから該当する関連付け情報レコードＲＲを探索し、探索した関連付け情報レコードＲＲの表示項目（音色名、音色編集の有無、アルバム名、楽曲名等）を、夫々のランク情報Ｒｎが表わすランクの順に並べた一覧データを電子音楽装置ＥＭに送り、電子音楽装置ＥＭはこの一覧データを取得する。
【００４８】
次のステップＱ４では、電子音楽装置ＥＭにて、取得したレコード表示項目の一覧データをディスプレイ（９）上に表示（提示）する。次いで、ステップＱ５にて、ユーザによるレコード選択操作に応じて、所望のレコード表示項目を選択すると、続くステップＱ６で、選択したレコード表示項目に対応する関連付け情報レコードＲＲの音色指定情報ＶｓをサーバＳＶから取得し、プリセット音色データ（プリセットボイス）ＶＰの使用を示しているか否かを判定する。
【００４９】
ここで、当該関連付け情報レコードＲＲに音色編集情報がなくプリセット音色データＶＰの使用を示しているときは（Ｑ６＝ＹＥＳ）、ステップＱ７に進み、ＲＯＭ３のプリセットボイスエリアから、当該関連付け情報レコードＲＲの音色指定情報Ｖｓにより指定されるプリセット音色データＶＰを選択し、選択したプリセット音色データＶＰの各ボイスパラメータを音源／効果部１０に適用（設定）する。
【００５０】
一方、当該関連付け情報レコードＲＲに音色編集情報Ｅｄが記述されており、ユーザ音色データ（ユーザボイス）ＶＵの使用を示しているときは（Ｑ７＝ＮＯ）、まず、ステップＱ８で、関連付けデータベースＲＢから、選択された関連付け情報レコードＲＲの音色編集情報Ｅｄに含まれるボイスパラメータ或いはボイスパラメータのオリジナルからの差分を取得する。次いで、ステップＱ９にて、取得したボイスパラメータ或いは差分を音源／効果部１０に適用する。ここで、差分を取得した場合は、当該関連付け情報レコードＲＲの音色指定情報Ｖｓにより指定されるオリジナルのプリセット音色データＶＰをＲＯＭ３のプリセットボイスエリアから選択して、このプリセット音色データＶＰのボイスパラメータを適用した後、さらに、取得した差分を適用する。
【００５１】
ステップＱ７或いはステップＱ９のボイスパラメータ適用処理を終えると、このダウンロード処理を終了し、元の動作待機状態にリターンする。
【００５２】
〔種々の実施態様〕
以上、この発明の好適な一実施例について説明したが、これは単なる一例であって、この発明は、発明の精神を逸脱しない範囲で種々の変更が可能であり、種々の態様で実施することができる。例えば、実施例（システム構成例）では、ＣＤデータベース（ＣＢ）も関連付けデータベース（ＲＢ）も楽曲・音色関連付けサーバ（ＳＶ）上にあるとして説明したが、これに代えて、コンテンツ提供会社が運営するサーバ（ＳＶ）上でＣＤデータベース（ＣＢ）が管理され、電子楽器装置メーカが運営する別サーバ（ＳＶ’）上で関連付けデータベース（ＲＢ）が管理され、それぞれのサーバが別々に運営されるようにしてもよい。
【符号の説明】
【００５３】
ＳＶ  楽曲・音色関連付けサーバ、
ＣＢ  ＣＤデータベース、
ＣＲ  ＣＤ情報レコード、
Ｃｉｄ  ＣＤデータベースＩＤ［情報］、
Ｔｇａ  ＣＤデータベース用アルバムタグ情報（楽曲情報）、
Ｔｇｃ：Ｔｇｃ１，Ｔｇｃ２，…  ＣＤデータベース用楽曲タグ情報（楽曲情報）、
ＲＢ  関連付けデータベース、
ＲＲ  関連付け情報レコード、
Ｍｄ  機種情報、
Ｖｓ  音色指定情報、
Ｅｄ  音色編集情報、
Ｔｇｒ  関連付け用タグ情報（楽曲情報）、
Ｒｎ  ランク情報、
ＶＰ，ＶＵ  プリセット（オリジナル）音色データ及びユーザ音色データ、
Ｔｏｃ  オーディオＣＤ１５に記録された楽曲データ集のＴＯＣ情報、
Ａｄｃ，Ａｄｕ  ＣＤ内及びＵＳＢメモリ内の各オーディオ楽曲データ、
ＡＤ  ＵＳＢフラッシュメモリ１６に記録された楽曲データ集の各曲データ、
Ｔｇｕ  ＵＳＢメモリ用タグ情報（楽曲情報）。
【図１】
0005493721.tif 000002
【図２】
0005493721.tif 000003
【図３】
0005493721.tif 000004
【図４】
0005493721.tif 000005
【図５】
0005493721.tif 000006
【図６】
0005493721.tif 000007